【手続補正書】
【提出日】平成20年8月13日(2008.8.13)
【手続補正１】
【補正対象書類名】明細書
【補正対象項目名】特許請求の範囲
【補正方法】変更
【補正の内容】
【特許請求の範囲】
【請求項１】
商品の販売情報管理を行うサーバと、買物カゴに設けられた買物客の商品購入情報を読み取るクライアントと、買物客の商品精算を行う精算装置とを用いた販売管理方法であって、
買物客が購入する商品から読み取った商品購入情報を送信するステップと、
前記商品購入情報から商品売価情報及び商品重量情報を抽出するステップと、
前記商品重量情報に基づいて商品の販売管理を行うステップと、
前記商品売価情報に基づいて買物客の購入商品精算を行う精算ステップと、を含む販売管理方法。
【請求項２】
商品の販売情報管理を行うサーバと、買物カゴに設けられた買物客の商品購入情報をサーバに送信するクライアントと、前記サーバからの商品購入情報に基づき買物客の商品精算を行う精算装置とを用いた販売管理方法であって、
前記クライアントが商品に印刷又は貼付されているバーコードを読み取る読取ステップと、
前記クライアントから前記読取ステップで読み取られた商品購入情報をサーバ側に送信するステップと、
前記サーバが前記商品購入情報を記憶するステップと、
前記サーバが前記商品購入情報を処理して、買物客の購入商品の商品売価情報及び商品重量情報を抽出するステップと、
前記商品売価情報及び商品重量情報を精算装置に送信するステップと、
購入商品精算時、前記サーバにおける商品重量情報と精算時に計測した商品総重量とを比較する比較ステップと、
前記比較ステップにおける比較データ数値が一致した場合は、精算装置に直接精算を要求して前記サーバの商品売価情報の金額に基づいて商品売価の支払いを行うステップと、を含む販売管理方法。
【請求項３】
前記サーバから送信された商品重量情報と、購入商品精算時に計測した商品総重量とを前記精算装置において比較する比較ステップを含むことを特徴とする請求項１又は２に記載の販売管理方法。
【請求項４】
前記サーバから送信された商品重量情報と、購入商品精算時に計測した商品総重量とを
前記クライアントにおいて比較する比較ステップを含むことを特徴とする請求項１又は２に記載の販売管理方法。
【請求項５】
前記サーバにより抽出された商品重量情報と、購入商品精算時に計測され前記サーバに送信された商品総重量とを前記サーバにおいて比較する比較ステップを含むことを特徴とする請求項１又は２に記載の販売管理方法。
【請求項６】
前記精算装置に商品総重量計測手段を設けて前記商品総重量の計測を行うことを特徴とする請求項１〜５の何れか一項に記載の販売管理方法。
【請求項７】
前記買物カゴに商品重量計測手段を設けて前記商品総重量の計測を行うことを特徴とする請求項１〜５の何れか一項に記載の販売管理方法。
【請求項８】
前記読取ステップが実行されるごとに前記クライアントが、
前記読取ステップに基づいて商品の単品売価及び合計売価を表示するステップと、
商品総重量を計測するステップと、
前記サーバが前記商品購入情報から抽出した商品売価情報及び商品重量情報を受信するステップと、
前記合計売価と前記商品売価情報を比較する売価比較ステップと、
前記売価比較ステップにおいて比較売価が一致しない場合は買物客にバーコードの読取エラーを通知するステップと、
前記商品総重量と前記商品重量情報を比較する重量比較ステップと、
前記重量比較ステップにおいて比較重量が一致しない場合は買物客にバーコードの読取エラーを通知するステップと、を行うことを特徴とする請求項２、４、７の何れか一項に記載の販売管理方法。
【請求項９】
前記精算装置にＰＯＳシステムを適用したことを特徴とする請求項１〜８の何れか一項に記載の販売管理方法。
【請求項１０】
前記クライアントが、カゴを搭載したカート又はカゴを内蔵したカートに設けられていることを特徴とする請求項１〜９の何れか一項に記載の販売管理方法。
【請求項１１】
商品の販売情報管理を行うサーバにおける販売管理プログラムであって、
買物客の買物カゴに設けられたクライアントに販売する商品の所定の情報である商品販売情報を送信するステップと、
前記クライアントから買物客が購入する商品の商品購入情報を受信するステップと、
前記クライアントからの前記商品購入情報を記憶するステップと、
前記商品購入情報を基に必要なデータに変換して商品売価情報及び商品重量情報を抽出するステップと、
精算要求信号を受信するステップと、
購入商品精算時、前記クライアント又は購入商品の精算を行う精算装置に精算時の商品売価情報及び商品重量情報送信するステップと、をサーバに実行させる販売管理プログラム。
【請求項１２】
精算時の商品総重量受信するステップと、前記精算時の商品総重量と商品重量情報を比較する精算時重量比較ステップと、
前記精算時重量比較ステップにおいて比較重量が一致した場合には、前記精算装置に直接精算を要求するステップと、
前記精算時重量比較ステップにおいて比較重量が一致しない場合には、前記精算装置に再度会計を行うよう要求するステップと、を前記精算要求信号受信後に、サーバに実行さ
せることを特徴とする請求項１１に記載の販売管理プログラム。
【請求項１３】
商品の販売情報管理を行うサーバに、買物カゴに設けられた買物客の商品購入情報を送信するクライアントにおける販売管理プログラムであって、
前記サーバに商品購入情報を送信するステップと、
商品情報が書き込まれたバーコードを読み取る読取ステップと、
前記読取ステップに基づいて商品の単品売価及び合計売価を表示するステップと、
購入商品精算時の商品総重量を計測するステップと、
前記サーバより精算時の商品売価情報及び商品重量情報を受信するステップと、
前記精算時の商品総重量と商品重量情報を比較する精算時重量比較ステップと、
前記精算時重量比較ステップにおいて比較重量が一致した場合には、購入商品精算を行う精算装置に直接精算を要求するステップと、
前記精算時重量比較ステップにおいて比較重量が一致しない場合には、前記精算装置に再度会計を行うよう要求するステップと、をクライアントに実行させる販売管理プログラム。
【請求項１４】
前記商品総重量を計測するステップと、
前記サーバが前記商品購入情報から抽出した商品売価情報及び商品重量情報を受信するステップと、
前記合計売価と前記商品売価情報を比較する売価比較ステップと、
前記売価比較ステップにおいて比較売価が一致しない場合は買物客にバーコードの読取エラーを通知するステップと、
前記商品総重量と前記商品重量情報を比較する重量比較ステップと、
前記重量比較ステップにおいて比較重量が一致しない場合は買物客にバーコードの読取エラーを通知するステップと、を前記読取ステップが実行されるごとに、クライアントに実行させることを特徴とする請求項１３に記載の販売管理プログラム。
【請求項１５】
買物客の購入商品精算時に、商品の販売情報管理を行うサーバからの商品購入情報に基づき買物客の購入商品精算を行う精算装置における販売管理プログラムであって、
前記サーバに対して精算要求信号送信するステップと、
精算時の商品総重量を計測するステップと、
前記サーバが前記商品購入情報から抽出した精算時の商品売価情報及び商品重量情報を受信するステップと、
前記精算時の商品総重量と商品重量情報を比較する精算時重量比較ステップと、
前記精算時重量比較ステップにおいて比較重量が一致した場合には、直接精算を行うステップと、
前記精算時重量比較ステップにおいて比較重量が一致しない場合には再度会計を行うステップと、
買物客の商品合計売価を収受するステップと、を精算装置に実行させる販売管理プログラム。
【請求項１６】
前記精算装置にＰＯＳシステムを適用したことを特徴とする請求項１１〜１５の何れか一項に記載の販売管理プログラム。
【請求項１７】
商品の販売情報管理を行うサーバと、買物カゴに設けられた買物客の商品購入情報をサーバとの間で送受信するクライアントと、前記サーバからの商品購入情報に基づき買物客の商品精算を行う精算装置とを備え、
前記サーバに非接触の前記クライアントから商品購入情報及び商品重量情報をサーバに送信し、前記サーバが販売情報管理を行うＰＯＳシステムにおいて、
前記サーバが商品売価及び商品重量により商品販売管理を行うことを特徴とするＰＯＳ
システム。
【請求項１８】
前記サーバは、前記クライアントとの商品購入情報、及び精算装置との商品売価情報を送受信する送受信手段と、
前記クライアントからの商品購入情報及びサーバ側で蓄積された商品販売情報を記憶する記憶手段と、
前記商品購入情報及び商品販売情報を基に必要なデータに変換して商品売価情報及び商品重量情報を抽出する情報処理手段と、
一連のサーバの商品購入管理を制御するサーバ制御手段と、を備えた請求項１７に記載のＰＯＳシステム。
【請求項１９】
前記クライアントは、前記サーバに商品購入情報を送受信する送受信手段と、
商品情報が書き込まれたバーコードを読み取るバーコード読取手段と、
商品の重量を計測する商品総重量計測手段と、
前記合計売価を買物客に通知する表示手段と、
一連のクライアントの制御を行うクライアント制御手段と、を備えた請求１７又は１８に記載のＰＯＳシステム。
【請求項２０】
前記精算装置は、前記サーバに対して精算要求信号を送信し前記商品購入情報及び商品重量情報を受信する媒体となる送受信手段と、
販売する商品の集計を行い、買物客が商品合計売価の支払いを行う会計手段と、
一連の精算装置の制御を行う精算装置制御手段と、を備えた請求項１７〜１９の何れか一項に記載のＰＯＳシステム。
【請求項２１】
前記サーバから送信された商品重量情報と、精算時に計測された商品総重量とを比較する重量比較手段を前記精算装置、クライアント、サーバの何れかに備えたことを特徴とする請求項１７〜２０の何れか一項に記載のＰＯＳシステム。
【請求項２２】
前記クライアントが、カゴを搭載したカート又はカゴを内蔵したカートに設けられていることを特徴とする請求項１７〜２１の何れか一項に記載のＰＯＳシステム。